(57)【要約】【課題】少なくとも２つの受信手段を備える記録再生装置において、２つの受信手段で同時に受信した同一の放送信号の２つのコンテンツ間で、編集情報やレジューム情報などを含む管理情報を同時に更新できるようにする。【解決手段】記録再生装置１０は、放送信号を入力する第１放送入力部１１，第２放送入力部１２と、第１放送入力部１１，第２放送入力部１２で同時に受信した同一放送信号の２つのコンテンツを記録するコンテンツデータ記録部１３と、該２つのコンテンツそれぞれの管理情報を関連付けて記録するコンテンツ管理情報記録部１４と、管理情報に基づいてコンテンツの再生処理あるいは編集処理を制御する制御部１７とを備える。制御部１７は、前記２つのコンテンツのいずれか一方が再生停止あるいは編集されたときに、該２つのコンテンツ間で関連付けられた管理情報を同時に更新する。【選択図】図１
2007012193.tif 000002
【特許請求の範囲】
【請求項１】
少なくとも２つの受信手段を備える記録再生装置において、前記２つの受信手段で同時に受信した同一放送信号の２つのコンテンツを記録するコンテンツ記録手段と、該２つのコンテンツそれぞれの管理情報を関連付けて記録するコンテンツ管理情報記録手段と、管理情報に基づいてコンテンツの再生処理あるいは編集処理を制御する制御手段と、を備え、該制御手段は、前記２つのコンテンツのいずれか一方が再生停止あるいは編集されたときに、前記２つのコンテンツ間で関連付けられた管理情報を同時に更新することを特徴とする記録再生装置。
【請求項２】
少なくとも２つの受信手段を備える記録再生装置において、前記２つの受信手段で同時に受信した同一放送信号の２つのコンテンツを記録するコンテンツ記録手段と、該２つのコンテンツそれぞれの管理情報を関連付けて記録するコンテンツ管理情報記録手段と、管理情報に基づいてコンテンツの再生処理あるいは編集処理を制御する制御手段と、を備え、該制御手段は、前記２つのコンテンツのいずれか一方が再生停止あるいは編集されたときに、対応する管理情報を更新し、該更新した管理情報に従って他方のコンテンツの管理情報を更新することを特徴とする記録再生装置。
【請求項３】
請求項１又は２に記載の記録再生装置において、コンテンツを記録可能な外部記録媒体を着脱可能に接続する手段を備え、前記２つのコンテンツのいずれか一方を前記外部記録媒体にムーブするときに、対応する管理情報を併せてムーブすることを特徴とする記録再生装置。
【請求項４】
請求項３に記載の記録再生装置において、前記外部記録媒体にムーブされたコンテンツ及びその管理情報を前記外部記録媒体から前記記録再生装置にムーブしたときに、前記制御手段は、前記ムーブされた管理情報に従って、前記コンテンツ管理情報記録手段に記録されている前記コンテンツに関連する管理情報を更新することを特徴とする記録再生装置。
【請求項５】
請求項１又は２に記載の記録再生装置において、コンテンツを再生可能な外部機器を着脱可能に接続する手段を備え、前記２つのコンテンツのいずれか一方を前記外部機器にムーブするときに、対応する管理情報を併せてムーブすることを特徴とする記録再生装置。
【請求項６】
請求項５に記載の記録再生装置において、前記外部機器にムーブされたコンテンツ及びその管理情報を前記外部機器から前記記録再生装置にムーブしたときに、前記制御手段は、前記ムーブされた管理情報に従って、前記コンテンツ管理情報記録手段に記録されている前記コンテンツに関連する管理情報を更新することを特徴とする記録再生装置。
【請求項７】
請求項１乃至６のいずれか１に記載の記録再生装置において、前記管理情報は、コンテンツの再生停止位置を示すレジューム情報を含み、前記制御手段は、前記２つのコンテンツのいずれか一方が再生停止されたときに、前記レジューム情報を更新することを特徴とする記録再生装置。
【請求項８】
請求項１乃至６のいずれか１に記載の記録再生装置において、前記管理情報は、コンテンツをチャプタ分割した位置を示すチャプタ情報を含み、前記制御手段は、前記２つのコンテンツのいずれか一方がチャプタ分割されたときに、前記チャプタ情報を更新することを特徴とする記録再生装置。
【請求項９】
少なくとも２つの受信手段を備える記録再生装置の記録再生方法において、前記２つの受信手段で同時に受信した同一放送信号の２つのコンテンツを記録するステップと、前記２つのコンテンツそれぞれの管理情報を関連付けて記録するステップと、前記２つのコンテンツのいずれか一方が再生停止あるいは編集されたときに、前記２つのコンテンツ間で関連付けられた管理情報を同時に更新するステップと、を有することを特徴とする記録再生方法。
【請求項１０】
少なくとも２つの受信手段を備える記録再生装置の記録再生方法において、前記２つの受信手段で同時に受信した同一放送信号の２つのコンテンツを記録するステップと、前記２つのコンテンツそれぞれの管理情報を関連付けて記録するステップと、前記２つのコンテンツのいずれか一方が再生停止あるいは編集されたときに、対応する管理情報を更新し、該更新した管理情報に従って他方のコンテンツの管理情報を更新するステップと、を有することを特徴とする記録再生方法。
【発明の詳細な説明】
【技術分野】
【０００１】
本発明は、記録再生装置及び方法、より詳細には、デジタル放送などのコピーワンスのコンテンツに対応した記録再生装置及びそのための記録再生方法に関する。
【背景技術】
【０００２】
通常、デジタル放送には、コピーワンス制限がかけられていて、記録再生装置（以下、レコーダ）で録画したコンテンツを外部の再生装置（以下、ポータブル再生機器）で見るために、レコーダのコンテンツをポータブル再生機器にムーブすると、レコーダのコンテンツは消去しなければならない。この際、ポータブル再生機器の解像度が低かったり、ＨＤＤ容量が少なかったりして、ＭＰＥＧ２からＭＰＥＧ４へダウンコンバートする必要がある場合も、レコーダ上のコンテンツファイルは消去されており、再度、ポータブル再生機器からレコーダにコンテンツをムーブしたとしても、高精細な映像は失われてしまう。
【０００３】
そこで、レコーダにデジタルチューナを２基搭載するなどの方法で、同じコンテンツを家庭内視聴用と、ポータブル視聴用として同時に録画（多重録画）することが考えられる。この場合、一方のコンテンツを編集したり、途中まで視聴していたとしても、それらの情報は、他方のコンテンツには反映されない。
【０００４】
例えば、番組の途中までレコーダに接続したテレビジョン装置で視聴していて、続きをポータブル再生機器で視聴する場合、ポータブル再生機器側では、テレビジョン装置で見ていたところまで手動で早送りしなければならない。また、テレビジョン装置で視聴した一方のコンテンツを編集して、プレイリストとして名場面集を作っても、他方のコンテンツには反映されないため、プレイリストを作り直す必要がある。
【０００５】
従来、１つのタイトルを複数のユーザが別々に視聴するような場合において、各ユーザがそれぞれ再生停止を行った位置から再生可能としたものが開示されている（例えば、特許文献１参照）。これは、再生停止位置を示すレジューム情報を記憶手段に追加登録した際に、記憶手段に記憶されているレジューム情報のうちの１つのレジューム情報を現在選択しているレジューム情報として指定させる指定手段と、再生中において現在選択されているレジューム情報としての指定を、記憶手段に記憶されている他のレジューム情報に変更させるための入力手段とを備えたものである。
【特許文献１】特開２００５−３２２９７号公報
【発明の開示】
【発明が解決しようとする課題】
【０００６】
前述したように、レコーダにデジタルチューナを２基搭載して、同じコンテンツを同時に録画（多重録画）した場合、一方のコンテンツを編集したり、途中まで視聴していたとしても、それらの情報は、他方のコンテンツには反映されず、また、テレビジョン装置で視聴した一方のコンテンツを編集して、プレイリストとして名場面集を作っても、他方のコンテンツには反映されないため、プレイリストを作り直す必要があった。このように、ユーザは、同じコンテンツであっても、コンテンツを記録した機器毎にコンテンツの再生、編集を行わなければならず、その作業が面倒であった。このことは、上記特許文献１に記載の発明では解決されない。
【０００７】
本発明は、上述のごとき実情に鑑みてなされたものであり、少なくとも２つの受信手段を備える記録再生装置において、２つの受信手段で同時に受信した同一の放送信号の２つのコンテンツ間で、編集情報やレジューム情報などを含む管理情報を同時に更新できるようにすること、を目的とする。
【課題を解決するための手段】
【０００８】
上記課題を解決するために、本発明の第１の技術手段は、少なくとも２つの受信手段を備える記録再生装置において、前記２つの受信手段で同時に受信した同一放送信号の２つのコンテンツを記録するコンテンツ記録手段と、該２つのコンテンツそれぞれの管理情報を関連付けて記録するコンテンツ管理情報記録手段と、管理情報に基づいてコンテンツの再生処理あるいは編集処理を制御する制御手段と、を備え、該制御手段は、前記２つのコンテンツのいずれか一方が再生停止あるいは編集されたときに、前記２つのコンテンツ間で関連付けられた管理情報を同時に更新することを特徴としたものである。
【０００９】
第２の技術手段は、少なくとも２つの受信手段を備える記録再生装置において、前記２つの受信手段で同時に受信した同一放送信号の２つのコンテンツを記録するコンテンツ記録手段と、該２つのコンテンツそれぞれの管理情報を関連付けて記録するコンテンツ管理情報記録手段と、管理情報に基づいてコンテンツの再生処理あるいは編集処理を制御する制御手段と、を備え、該制御手段は、前記２つのコンテンツのいずれか一方が再生停止あるいは編集されたときに、対応する管理情報を更新し、該更新した管理情報に従って他方のコンテンツの管理情報を更新することを特徴としたものである。
【００１０】
第３の技術手段は、第１又は第２の技術手段において、コンテンツを記録可能な外部記録媒体を着脱可能に接続する手段を備え、前記２つのコンテンツのいずれか一方を前記外部記録媒体にムーブするときに、対応する管理情報を併せてムーブすることを特徴としたものである。
【００１１】
第４の技術手段は、第３の技術手段において、前記外部記録媒体にムーブされたコンテンツ及びその管理情報を前記外部記録媒体から前記記録再生装置にムーブしたときに、前記制御手段は、前記ムーブされた管理情報に従って、前記コンテンツ管理情報記録手段に記録されている前記コンテンツに関連する管理情報を更新することを特徴としたものである。
【００１２】
第５の技術手段は、第１又は第２の技術手段において、コンテンツを再生可能な外部機器を着脱可能に接続する手段を備え、前記２つのコンテンツのいずれか一方を前記外部機器にムーブするときに、対応する管理情報を併せてムーブすることを特徴としたものである。
【００１３】
第６の技術手段は、第５の技術手段において、前記外部機器にムーブされたコンテンツ及びその管理情報を前記外部機器から前記記録再生装置にムーブしたときに、前記制御手段は、前記ムーブされた管理情報に従って、前記コンテンツ管理情報記録手段に記録されている前記コンテンツに関連する管理情報を更新することを特徴としたものである。
【００１４】
第７の技術手段は、第１乃至第６のいずれか１の技術手段において、前記管理情報は、コンテンツの再生停止位置を示すレジューム情報を含み、前記制御手段は、前記２つのコンテンツのいずれか一方が再生停止されたときに、前記レジューム情報を更新することを特徴としたものである。
【００１５】
第８の技術手段は、第１乃至第６のいずれか１の技術手段において、前記管理情報は、コンテンツをチャプタ分割した位置を示すチャプタ情報を含み、前記制御手段は、前記２つのコンテンツのいずれか一方がチャプタ分割されたときに、前記チャプタ情報を更新することを特徴としたものである。
【００１６】
第９の技術手段は、少なくとも２つの受信手段を備える記録再生装置の記録再生方法において、前記２つの受信手段で同時に受信した同一放送信号の２つのコンテンツを記録するステップと、前記２つのコンテンツそれぞれの管理情報を関連付けて記録するステップと、前記２つのコンテンツのいずれか一方が再生停止あるいは編集されたときに、前記２つのコンテンツ間で関連付けられた管理情報を同時に更新するステップと、を有することを特徴としたものである。
【００１７】
第１０の技術手段は、少なくとも２つの受信手段を備える記録再生装置の記録再生方法において、前記２つの受信手段で同時に受信した同一放送信号の２つのコンテンツを記録するステップと、前記２つのコンテンツそれぞれの管理情報を関連付けて記録するステップと、前記２つのコンテンツのいずれか一方が再生停止あるいは編集されたときに、対応する管理情報を更新し、該更新した管理情報に従って他方のコンテンツの管理情報を更新するステップと、を有することを特徴としたものである。
【発明の効果】
【００１８】
本発明によれば、少なくとも２つの受信手段を備える記録再生装置において、２つの受信手段で同時に受信した同一の放送信号の２つのコンテンツ間で、編集情報やレジューム情報などを含む管理情報を同時に更新できるため、一方のコンテンツを編集したり、途中まで視聴したときに、それらの情報が、他方のコンテンツに反映され、ユーザは、コンテンツを記録した機器毎にコンテンツの再生、編集を行う必要がない。例えば、番組の途中まで記録再生装置に接続したテレビジョン装置で視聴していて、続きをポータブル再生機器で視聴する場合、ポータブル再生機器側では、テレビジョン装置で見ていたところから再生することができる。また、テレビジョン装置で視聴した一方のコンテンツを編集して、プレイリストとして名場面集を作った場合、他方のコンテンツにも反映され、プレイリストを作り直す必要がない。
【発明を実施するための最良の形態】
【００１９】
図１は、本発明の一実施形態に係る記録再生装置の構成例を示すブロック図で、図中、１０は記録再生装置で、該記録再生装置１０は、第１放送入力部１１、第２放送入力部１２、コンテンツデータ記録部１３、コンテンツ管理情報記録部１４、コンテンツデータ入出力部１５、コンテンツ管理情報入出力部１６、制御部１７、制御信号入力部１８から構成されている。また、記録再生装置１０は、コンテンツデータ入出力部１５を介して図示しないテレビジョン装置と接続され、また、コンテンツデータ入出力部１５及びコンテンツ管理情報入出力部１６を介して、コンテンツを再生可能なポータブル再生機器などの外部機器２０と接続される。外部機器２０は、コンテンツデータ入出力部１５から出力されるコンテンツデータと、コンテンツ管理情報入出力部１６から出力される管理情報とを取得することができる。なお、コンテンツデータの管理情報については後述する図２において詳細に説明する。
【００２０】
記録再生装置１０の録画処理について説明する。第１放送入力部１１，第２放送入力部１２は、デジタル放送などの放送信号を受信する受信手段（チューナ）である。利用者（ユーザ）１９がリモコン操作や本体ボタン操作などにより、制御信号入力部１８に録画の制御信号を入力すると、その制御信号は制御部１７に送られ、制御部１７は、コンテンツデータ記録部１３にコンテンツの録画指示を行い、同時に、コンテンツ管理情報記録部１４にコンテンツ管理情報の記録指示を行う。上記コンテンツ録画指示に従って、第１放送入力部１１あるいは第２放送入力部１２に入力された放送信号のうち、コンテンツのデータ本体はコンテンツデータ記録部１３に録画され、上記コンテンツ管理情報記録指示に従って、コンテンツに付加された情報（チャンネル、放送時間などを含む）はコンテンツ管理情報記録部１４に記録される。
【００２１】
なお、本実施形態では、チューナを２つ搭載した例について示しているが、チューナを３つ以上搭載してもよい。また、コンテンツデータ記録部１３、コンテンツ管理情報記録部１４は、例えば、ハードディスク、光ディスク（ＤＶＤなど）、メモリカードなどの記録媒体である。
【００２２】
記録再生装置１０の再生処理について説明する。利用者１９は、リモコン操作や本体ボタン操作などにより、制御信号入力部１８に再生の制御信号を入力する。その制御信号は制御部１７に送られ、制御部１７は、コンテンツデータ記録部１３に再生指示を行う。この再生指示に従って、コンテンツデータ記録部１３のコンテンツデータが再生処理され、コンテンツデータ入出力部１５から出力される。記録再生装置１０は、図示しないテレビジョン装置と接続され、利用者１９は、コンテンツデータ入出力部１５から出力されたコンテンツデータをテレビジョン装置で視聴することができる。
【００２３】
記録再生装置１０の編集処理について、チャプタ分割処理を代表例として説明する。利用者１９は、リモコン操作や本体ボタン操作などにより、制御信号入力部１８にチャプタ分割の制御信号を入力する。その制御信号は制御部１７に送られ、制御部１７は、コンテンツ管理情報記録部１４にチャプタ分割指示を行う。コンテンツ管理情報記録部１４は、再生中のコンテンツデータの管理情報にチャプタ情報を追加する。なお、このチャプタ情報は、コンテンツデータをチャプタ分割した位置を示す情報のことである。
【００２４】
記録再生装置１０の再生停止処理について説明する。利用者１９は、リモコン操作や本体ボタン操作などにより、制御信号入力部１８に再生停止の制御信号を入力する。その制御信号は制御部１７に送られ、制御部１７は、コンテンツデータ記録部１３に再生停止指示を行う。コンテンツデータ記録部１３は、コンテンツデータ入出力部１５へのコンテンツデータの出力を停止し、同時に、制御部１７は、コンテンツ管理情報記録部１４にレジューム情報の更新指示を行う。コンテンツ管理情報記録部１４は、再生していたコンテンツデータの管理情報に含まれるレジューム情報を更新する。なお、このレジューム情報は、コンテンツの再生停止位置を示す情報のことである。
【００２５】
図１において、記録再生装置１０は、第１放送入力部１１，第２放送入力部１２で同時に受信した同一放送信号の２つのコンテンツをコンテンツデータ記録部１３に記録し、その２つのコンテンツそれぞれの管理情報を関連付けてコンテンツ管理情報記録部１４に記録する。制御部１７は、管理情報に基づいてコンテンツの再生処理あるいは編集処理を制御し、２つのコンテンツのいずれか一方が再生停止あるいは編集されたときに、２つのコンテンツ間で関連付けられた管理情報を同時に更新する。
【００２６】
また、別の実施形態として、制御部１７は、２つのコンテンツのいずれか一方が再生停止あるいは編集されたときに、対応する管理情報を更新し、更新した管理情報に従って他方のコンテンツの管理情報を更新するようにしてもよい。このように、同時に録画したコンテンツ間において、一方のコンテンツの管理情報で更新された情報（例えば、レジューム情報やチャプタ情報など）を、他方のコンテンツの管理情報にコピー、自動更新などを行って、管理情報に含まれるレジューム情報やチャプタ情報等が互いに反映されるように構成されている。
【００２７】
図２は、図１に示したコンテンツ管理情報記録部１４に記録されるコンテンツデータ毎の管理情報の一例を示す図である。管理情報は、例えば、コンテンツＩＤ、チャンネル名、番組名、放送時刻、録画時間、情報更新時刻、関連コンテンツＩＤ、レジューム情報（時間）、チャプタ情報（チャプタ数、チャプタ時間１〜Ｎ）などを含む。第１放送入力部１１、第２放送入力部１２で同時に受信した同一放送信号の２つのコンテンツのうち、一方のコンテンツのＩＤがコンテンツＩＤとして記録され、他方のコンテンツのＩＤが関連コンテンツＩＤとして記録される。このように関連付けすることにより、２つのコンテンツのいずれか一方が再生停止あるいは編集されたときに、対応する管理情報を更新し、さらに、他方のコンテンツの管理情報を特定して更新することが可能となる。この際、２つのコンテンツの管理情報を同時に更新してもよいし、再生停止あるいは編集されたコンテンツの管理情報を更新した後、他方のコンテンツの管理情報を更新するようにしてもよい。
【００２８】
ここで、デジタル放送にはコピーワンスの制限があるため、一旦記録再生装置１０に記録したコンテンツは他の記録媒体にコピーすることができない。従って、利用者１９は、他の記録媒体にもコンテンツを記録して視聴したい場合、記録再生装置１０に記録された２つのコンテンツのいずれか一方を他の記録媒体にムーブする。このとき、対応する管理情報を併せてムーブする。これにより、記録再生装置１０のレジューム情報やチャプタ情報が他の記録媒体にも引き継がれ、これらの情報に基づいてコンテンツの再生、編集を行うことができる。
【００２９】
以下、ＨＤＤ（コンテンツデータ記録部１３）に記録したコンテンツ（以下、コンテンツＡ、コンテンツＢとし、両者は同じコンテンツとする）のうちコンテンツＢを、ＤＶＤ−ＲＷやＤＶＤ−ＲＡＭなど、ムーブに対応した書換可能なＤＶＤ（以下、ＤＶＤ）にムーブする例について説明する。記録再生装置１０は、ＨＤＤに記録した２つのコンテンツのうち、コンテンツＢをＤＶＤにムーブし、対応する管理情報を併せてＤＶＤにムーブする。なお、コンテンツＡ及びその管理情報は、記録再生装置１０に記録されている。ＤＶＤにムーブされて記録されたコンテンツＢは、記録再生装置１０以外の再生装置（ＤＶＤプレーヤなど）で管理情報に従って再生される。
【００３０】
例えば、番組の途中まで記録再生装置１０に接続したテレビジョン装置でコンテンツＡを視聴していて、続きをＤＶＤなどの外部記録媒体から視聴再開しようとしたときに、ＤＶＤの再生装置側では、記録再生装置１０から外部記録媒体にムーブされたコンテンツＢを、テレビジョン装置で見ていたところから再生することができる。また、テレビジョン装置で視聴したコンテンツＡを編集して、プレイリストとして名場面集を作った場合、コンテンツＢにも反映され、再生装置側でプレイリストを作り直す必要がない。
【００３１】
また、例えば、上記再生装置でコンテンツＢを再生中に、コンテンツＢの途中で再生を停止すると、その再生停止位置を示すレジューム情報がＤＶＤの管理情報に書き込まれる。そして、ＤＶＤに記録されているコンテンツＢ及び管理情報を記録再生装置１０に再びムーブしたときに、制御部１７は、ムーブされた管理情報に従って、コンテンツＢに関連する管理情報、すなわちコンテンツＡの管理情報を更新するようにしてもよい。これにより、記録再生装置１０に接続されたテレビジョン装置において、上記再生装置でコンテンツＢに対して再生停止した位置から、コンテンツＡを再生することができる。
【００３２】
また、同様に、一旦記録再生装置１０に記録したコンテンツは、コンテンツを再生可能な外部機器２０にコピーすることができない。従って、利用者１９は、外部機器２０にもコンテンツを記録して視聴したい場合、記録再生装置１０に記録された２つのコンテンツのいずれか一方を外部機器２０にムーブする。このとき、対応する管理情報を併せてムーブする。これにより、記録再生装置１０のレジューム情報やチャプタ情報が外部機器２０にも引き継がれ、これらの情報に基づいて外部機器２０でコンテンツの再生、編集を行うことができる。
【００３３】
以下、ＨＤＤ（コンテンツデータ記録部１３）に記録したコンテンツ（コンテンツＡ、コンテンツＢとし、両者は同じコンテンツ）のうちコンテンツＢを、ポータブル再生機器（外部機器２０）にムーブする例について説明する。記録再生装置１０は、ＨＤＤに記録した２つのコンテンツのうち、コンテンツＢをポータブル再生機器にムーブし、対応する管理情報を併せてポータブル再生機器にムーブする。なお、コンテンツＡ及びその管理情報は、記録再生装置１０に記録されている。ポータブル再生機器にムーブされて記録されたコンテンツＢは、その管理情報に従って再生される。
【００３４】
例えば、番組の途中まで記録再生装置１０に接続したテレビジョン装置でコンテンツＡを視聴していて、続きをポータブル再生機器で視聴しようとしたときに、ポータブル再生機器側では、記録再生装置１０からムーブされたコンテンツＢを、テレビジョン装置で見ていたところから再生することができる。また、テレビジョン装置で視聴した一方のコンテンツＡを編集して、プレイリストとして名場面集を作った場合、他方のコンテンツＢにも反映され、ポータブル再生機器側でプレイリストを作り直す必要がない。
【００３５】
また、例えば、上記ポータブル再生機器でコンテンツＢを再生中に、コンテンツＢの途中で再生を停止すると、その再生停止位置を示すレジューム情報がポータブル再生機器の管理情報に書き込まれる。そして、ポータブル再生機器に記録されているコンテンツＢ及び管理情報を記録再生装置１０に再びムーブしたときに、制御部１７は、ムーブされた管理情報に従って、コンテンツＢに関連する管理情報、すなわちコンテンツＡの管理情報を更新するようにしてもよい。これにより、記録再生装置１０に接続されたテレビジョン装置において、上記ポータブル再生機器でコンテンツＢに対して再生停止した位置から、コンテンツＡを再生することができる。
【００３６】
（第１の実施形態）
以下、図３乃至図５に基づいて、記録再生装置１０のコンテンツ管理情報の同期処理を自動的に行う際の例について説明する。
図３は、本発明の第１の実施形態に係る記録再生装置１０の多重録画処理の一例を説明するためのフロー図である。まず、利用者１９は、リモコン操作や本体ボタン操作などにより、制御信号入力部１８に多重録画の制御信号を入力すると、その制御信号は制御部１７に送られ（Ｓ１）、制御部１７は、コンテンツデータ記録部１３にコンテンツの多重録画指示を行い（Ｓ２）、コンテンツデータ記録部１３は、多重録画指示に従って、第１放送入力部１１及び第２放送入力部１２から入力された同一の放送信号からコンテンツデータＡ，コンテンツデータＢを作成する（Ｓ３）。同時に、制御部１７は、コンテンツ管理情報記録部１４にコンテンツ管理情報の多重作成指示を行い（Ｓ４）、コンテンツ管理情報記録部１４は、多重作成指示に従って、コンテンツデータＡの管理情報（コンテンツ管理情報Ａ）と、コンテンツデータＢの管理情報（コンテンツ管理情報Ｂ）とを作成して、これらを関連付けする（Ｓ５）。
【００３７】
次に、利用者１９は、リモコン操作や本体ボタン操作などにより、制御信号入力部１８にコンテンツＡ再生の制御信号を入力すると、その制御信号は制御部１７に送られ（Ｓ６）、制御部１７は、コンテンツデータ記録部１３にコンテンツデータＡの再生指示を行い（Ｓ７）、コンテンツデータ記録部１３は、コンテンツデータＡの再生指示に従って、コンテンツデータＡを再生する（Ｓ８）。
【００３８】
図４は、本発明の第１の実施形態に係る記録再生装置１０の編集、再生停止処理の一例を説明するためのフロー図である。まず、利用者１９は、リモコン操作や本体ボタン操作などにより、制御信号入力部１８にチャプタ分割の制御信号を入力すると、その制御信号は制御部１７に送られ（Ｓ１１）、制御部１７は、コンテンツ管理情報記録部１４にコンテンツのチャプタ分割指示を行い（Ｓ１２）、コンテンツ管理情報記録部１４は、チャプタ分割指示に従って、コンテンツ管理情報Ａのチャプタ情報，コンテンツ管理情報Ｂのチャプタ情報を同時に更新する（Ｓ１３）。
【００３９】
次に、利用者１９は、リモコン操作や本体ボタン操作などにより、制御信号入力部１８に再生停止の制御信号を入力すると、その制御信号は制御部１７に送られ（Ｓ１４）、制御部１７は、コンテンツデータ記録部１３にコンテンツデータＡの再生停止指示を行い（Ｓ１５）、コンテンツデータ記録部１３は、再生停止指示に従って、コンテンツデータＡの再生を停止する（Ｓ１６）。同時に、制御部１７は、コンテンツ管理情報記録部１４にコンテンツ管理情報のレジューム情報の更新指示を行い（Ｓ１７）、コンテンツ管理情報記録部１４は、レジューム情報の更新指示に従って、コンテンツ管理情報Ａのレジューム情報と、コンテンツ管理情報Ｂのレジューム情報とを同時に更新する（Ｓ１８）。
【００４０】
図５は、本発明の第１の実施形態に係る記録再生装置１０のムーブ処理の一例を説明するためのフロー図である。まず、利用者１９は、リモコン操作や本体ボタン操作などにより、制御信号入力部１８にコンテンツＡムーブの制御信号を入力すると、その制御信号は制御部１７に送られ（Ｓ２１）、制御部１７は、コンテンツデータ記録部１３にコンテンツデータＡのムーブ指示を行い（Ｓ２２）、コンテンツデータ記録部１３は、ムーブ指示に従って、コンテンツデータＡを外部機器２０にムーブする（Ｓ２３）。同時に、制御部１７は、コンテンツ管理情報記録部１４にコンテンツ管理情報Ａのムーブ指示を行い（Ｓ２４）、コンテンツ管理情報記録部１４は、コンテンツ管理情報Ａのムーブ指示に従って、コンテンツ管理情報Ａを外部機器２０にムーブする（Ｓ２５）。
【００４１】
次に、利用者１９は、リモコン操作や本体ボタン操作などにより、制御信号入力部１８に、外部機器２０からコンテンツＡダビングの制御信号を入力すると、その制御信号は制御部１７に送られ（Ｓ２６）、制御部１７は、コンテンツデータ記録部１３にコンテンツデータＡの作成指示を行い（Ｓ２７）、コンテンツデータ記録部１３は、作成指示に従って、コンテンツデータＡを作成する（Ｓ２８）。同時に、制御部１７は、コンテンツ管理情報記録部１４にコンテンツ管理情報Ａの作成指示を行い（Ｓ２９）、コンテンツ管理情報記録部１４は、コンテンツ管理情報Ａの作成指示に従って、コンテンツ管理情報Ａを作成し、作成したコンテンツ管理情報Ａに、コンテンツ管理情報記録部１４に記録しているコンテンツ管理情報Ｂを同期させて更新する（Ｓ３０）。
【００４２】
（第２の実施形態）
以下、図６乃至図８に基づいて、記録再生装置１０のコンテンツ管理情報の同期処理を手動で行う際の例について説明する。
図６は、本発明の第２の実施形態に係る記録再生装置１０の多重録画処理の一例を説明するためのフロー図である。まず、利用者１９は、リモコン操作や本体ボタン操作などにより、制御信号入力部１８に多重録画の制御信号を入力すると、その制御信号は制御部１７に送られ（Ｓ３１）、制御部１７は、コンテンツデータ記録部１３にコンテンツの多重録画指示を行い（Ｓ３２）、コンテンツデータ記録部１３は、多重録画指示に従って、第１放送入力部１１及び第２放送入力部１２から入力された同一の放送信号からコンテンツデータＡ，コンテンツデータＢを作成する（Ｓ３３）。同時に、制御部１７は、コンテンツ管理情報記録部１４にコンテンツ管理情報の多重作成指示を行い（Ｓ３４）、コンテンツ管理情報記録部１４は、多重作成指示に従って、コンテンツデータＡの管理情報（コンテンツ管理情報Ａ）と、コンテンツデータＢの管理情報（コンテンツ管理情報Ｂ）とを作成する（Ｓ３５）。
【００４３】
次に、利用者１９は、リモコン操作や本体ボタン操作などにより、制御信号入力部１８にコンテンツ管理情報関連付けの制御信号を入力すると、その制御信号は制御部１７に送られ（Ｓ３６）、制御部１７は、コンテンツ管理情報記録部１４にコンテンツ管理情報の関連付け指示を行い（Ｓ３７）、コンテンツ管理情報記録部１４は、コンテンツ管理情報の関連付け指示に従って、コンテンツ管理情報Ａとコンテンツ管理情報Ｂを関連付けする（Ｓ３８）。
【００４４】
次に、利用者１９は、リモコン操作や本体ボタン操作などにより、制御信号入力部１８にコンテンツＡ再生の制御信号を入力すると、その制御信号は制御部１７に送られ（Ｓ３９）、制御部１７は、コンテンツデータ記録部１３にコンテンツデータＡの再生指示を行い（Ｓ４０）、コンテンツデータ記録部１３は、コンテンツデータＡの再生指示に従って、コンテンツデータＡを再生する（Ｓ４１）。
【００４５】
図７は、本発明の第２の実施形態に係る記録再生装置１０の編集、再生停止処理の一例を説明するためのフロー図である。まず、利用者１９は、リモコン操作や本体ボタン操作などにより、制御信号入力部１８にチャプタ分割の制御信号を入力すると、その制御信号は制御部１７に送られ（Ｓ５１）、制御部１７は、コンテンツ管理情報記録部１４にコンテンツのチャプタ分割指示を行い（Ｓ５２）、コンテンツ管理情報記録部１４は、チャプタ分割指示に従って、コンテンツ管理情報Ａのチャプタ情報を更新する（Ｓ５３）。
【００４６】
次に、利用者１９は、リモコン操作や本体ボタン操作などにより、制御信号入力部１８に再生停止の制御信号を入力すると、その制御信号は制御部１７に送られ（Ｓ５４）、制御部１７は、コンテンツデータ記録部１３にコンテンツデータＡの再生停止指示を行い（Ｓ５５）、コンテンツデータ記録部１３は、再生停止指示に従って、コンテンツデータＡの再生を停止する（Ｓ５６）。同時に、制御部１７は、コンテンツ管理情報記録部１４にコンテンツ管理情報Ａのレジューム情報の更新指示を行い（Ｓ５７）、コンテンツ管理情報記録部１４は、レジューム情報の更新指示に従って、コンテンツ管理情報Ａのレジューム情報を更新する（Ｓ５８）。
【００４７】
次に、利用者１９は、リモコン操作や本体ボタン操作などにより、制御信号入力部１８にコンテンツ管理情報同期の制御信号を入力すると、その制御信号は制御部１７に送られ（Ｓ５９）、制御部１７は、コンテンツ管理情報記録部１４にコンテンツ管理情報の同期指示を行い（Ｓ６０）、コンテンツ管理情報記録部１４は、コンテンツ管理情報の同期指示に従って、コンテンツ管理情報Ａとコンテンツ管理情報Ｂを同期させる（Ｓ６１）。
【００４８】
図８は、本発明の第２の実施形態に係る記録再生装置１０のムーブ処理の一例を説明するためのフロー図である。まず、利用者１９は、リモコン操作や本体ボタン操作などにより、制御信号入力部１８にコンテンツＡムーブの制御信号を入力すると、その制御信号は制御部１７に送られ（Ｓ７１）、制御部１７は、コンテンツデータ記録部１３にコンテンツデータＡのムーブ指示を行い（Ｓ７２）、コンテンツデータ記録部１３は、ムーブ指示に従って、コンテンツデータＡを外部機器２０にムーブする（Ｓ７３）。同時に、制御部１７は、コンテンツ管理情報記録部１４にコンテンツデータＡのコンテンツ管理情報Ａのムーブ指示を行い（Ｓ７４）、コンテンツ管理情報記録部１４は、コンテンツ管理情報Ａのムーブ指示に従って、コンテンツ管理情報Ａを外部機器２０にムーブする（Ｓ７５）。
【００４９】
次に、利用者１９は、リモコン操作や本体ボタン操作などにより、制御信号入力部１８に、外部機器２０からコンテンツＡダビングの制御信号を入力すると、その制御信号は制御部１７に送られ（Ｓ７６）、制御部１７は、コンテンツデータ記録部１３にコンテンツデータＡの作成指示を行い（Ｓ７７）、コンテンツデータ記録部１３は、作成指示に従って、コンテンツデータＡを作成する（Ｓ７８）。同時に、制御部１７は、コンテンツ管理情報記録部１４にコンテンツ管理情報Ａの作成指示を行い（Ｓ７９）、コンテンツ管理情報記録部１４は、コンテンツ管理情報Ａの作成指示に従って、コンテンツ管理情報Ａを作成する（Ｓ８０）。
【００５０】
その後、利用者１９は、リモコン操作や本体ボタン操作などにより、制御信号入力部１８にコンテンツ管理情報同期の制御信号を入力すると、その制御信号は制御部１７に送られ、制御部１７は、コンテンツ管理情報記録部１４にコンテンツ管理情報の同期指示を行い、コンテンツ管理情報記録部１４は、コンテンツ管理情報の同期指示に従って、コンテンツ管理情報Ａとコンテンツ管理情報Ｂを同期させる。
【００５１】
図９は、本発明の記録再生装置１０のコンテンツ管理情報の関連付け処理の一例を説明するためのフロー図である。まず、記録再生装置１０は、コンテンツ管理情報Ａの関連コンテンツＩＤに、コンテンツデータＢのコンテンツＩＤをセットし（ステップＳ１０１）、コンテンツ管理情報Ｂの関連コンテンツＩＤに、コンテンツデータＡのコンテンツＩＤをセットする（ステップＳ１０２）。
【００５２】
図１０は、本発明の記録再生装置１０のコンテンツ管理情報の同期処理の一例を説明するためのフロー図である。まず、記録再生装置１０は、コンテンツ管理情報Ａの関連コンテンツＩＤとコンテンツＩＤが一致するコンテンツ管理情報Ｂが存在するかどうかを判断し（ステップＳ１１１）、コンテンツ管理情報Ｂが存在する場合（ＹＥＳの場合）、コンテンツ管理情報Ａの更新時刻がコンテンツ管理情報Ｂの更新時刻より後かどうかを判断し（ステップＳ１１２）、コンテンツ管理情報Ａの更新時刻がコンテンツ管理情報Ｂの更新時刻より後の場合（ＹＥＳの場合）、コンテンツ管理情報Ａのチャプタ情報とレジューム情報をコンテンツ管理情報Ｂにコピーしてコンテンツ管理情報Ｂを更新する（ステップＳ１１３）。
【００５３】
一方、ステップＳ１１１において、コンテンツ管理情報Ｂが存在しない場合（ＮＯの場合）、そのまま終了する。また、ステップＳ１１２において、コンテンツ管理情報Ａの更新時刻がコンテンツ管理情報Ｂの更新時刻より先の場合（ＮＯの場合）、コンテンツ管理情報Ｂのチャプタ情報とレジューム情報をコンテンツ管理情報Ａにコピーしてコンテンツ管理情報Ａを更新する（ステップＳ１１４）。
【図面の簡単な説明】
【００５４】
【図１】本発明の一実施形態に係る記録再生装置の構成例を示すブロック図である。
【図２】図１に示したコンテンツ管理情報記録部に記録されるコンテンツデータ毎の管理情報の一例を示す図である。
【図３】本発明の第１の実施形態に係る記録再生装置の多重録画処理の一例を説明するためのフロー図である。
【図４】本発明の第１の実施形態に係る記録再生装置の編集、再生停止処理の一例を説明するためのフロー図である。
【図５】本発明の第１の実施形態に係る記録再生装置のムーブ処理の一例を説明するためのフロー図である。
【図６】本発明の第２の実施形態に係る記録再生装置の多重録画処理の一例を説明するためのフロー図である。
【図７】本発明の第２の実施形態に係る記録再生装置の編集、再生停止処理の一例を説明するためのフロー図である。
【図８】本発明の第２の実施形態に係る記録再生装置のムーブ処理の一例を説明するためのフロー図である。
【図９】本発明の記録再生装置のコンテンツ管理情報の関連付け処理の一例を説明するためのフロー図である。
【図１０】本発明の記録再生装置のコンテンツ管理情報の同期処理の一例を説明するためのフロー図である。
【符号の説明】
【００５５】
１０…記録再生装置、１１…第１放送入力部、１２…第２放送入力部、１３…コンテンツデータ記録部、１４…コンテンツ管理情報記録部、１５…コンテンツデータ入出力部、１６…コンテンツ管理情報入出力部、１７…制御部、１８…制御信号入力部、１９…利用者、２０…外部機器。
【図１】
2007012193.tif 000003
【図２】
2007012193.tif 000004
【図３】
2007012193.tif 000005
【図４】
2007012193.tif 000006
【図５】
2007012193.tif 000007
【図６】
2007012193.tif 000008
【図７】
2007012193.tif 000009
【図８】
2007012193.tif 000010
【図９】
2007012193.tif 000011
【図１０】
2007012193.tif 000012